(57)【要約】【課題】耐久性、安定性及び表示性に優れた、区画形成表示装置を提供する。【解決手段】区画形成表示装置１０は、帯状体１５を内部に巻取って収納することが可能であり、帯状体１５の一端側を外側に引っ張り出して自在の長さにすることが可能な筒状体で構成され、その内側に装着用の穴１１ａが形成された帯状体巻取部材１１と、球状体１４が設けられた棒状体１２と、棒状体１２に設けられたリング部材１３と、を備え、帯状体巻取部材１１の側部のうち帯状体１５が引き出される側と反対側には、棒状体１２を係止することが可能な留め具１６が設けられている。【選択図】図１
2010216126.tif 000002
【特許請求の範囲】
【請求項１】
帯状体を内部に巻取って収納することが可能であり、当該帯状体の一端側を外側に引っ張り出して自在の長さにすることが可能な筒状体で構成され、その内側に装着用の穴が形成された帯状体巻取部材と、
前記帯状体の前記一端側に取り付けられたリング部材と、
を備えることを特徴とする区画形成表示装置。
【請求項２】
請求項１において、
前記帯状体の前記一端側に棒状体が設けられ、当該棒状体の上部には、球状体が設けられる一方で、当該棒状体の側部の上部側には、前記リング部材が設けられ、
前記帯状体巻取部材の側部のうち前記帯状体が引き出される側と反対側に、前記棒状体を係止することが可能な留め具が設けられていることを特徴とする区画形成表示装置。
【請求項３】
請求項２において、
前記球状体が発光体であることを特徴とする区画形成表示装置。
【発明の詳細な説明】
【技術分野】
【０００１】
本発明は、カラーコーン用巻取り式バーなどの区画形成表示装置に関する。
【背景技術】
【０００２】
工事現場等においては、危険区などに区画を形成して表示するために、カラーコーン用バーなどの区画形成表示装置が用いられる。この種の区画形成表示装置としては、従来より、特許文献１〜３に示すものなどが知られている。
【先行技術文献】
【特許文献】
【０００３】
【特許文献１】実願平３−７３２９４号
【特許文献２】実願２００１−６５８２号
【特許文献３】実願２００６−１８４２号
【発明の概要】
【発明が解決しようとする課題】
【０００４】
しかしながら、従来の区画形成表示装置にあっては、次の（１）〜（３）通り、耐久性、安定性及び表示性に問題があった。  
（１）まず、特許文献１に示す区画形成表示装置にあっては、ヒモによって円筒状のバーをスライドさせて区画を形成して表示するという構成であるため、ヒモに大きな負荷がかかるなど、耐久性に問題がある。  
（２）また、特許文献２に示す区画形成表示装置にあっては、伸縮可能な蛇腹状のバーによって区画を形成して表示するという構成であるため、そのバーがカラーコーン同士を引っ張り、カラーコーンが倒れやすいなど、安定性に問題がある。  
（３）さらに、特許文献２に示す区画形成表意装置にあっては、チェーンにリングを付け、そのリングをカラーコーンに架けることにより、区画を形成して表示するという構成であるため、チェーンによる区画が見えにくいなど、視覚的に問題がある。
【０００５】
本発明は、耐久性、安定性及び表示性に優れた、区画形成表示装置を提供することを目的とする。
【課題を解決するための手段】
【０００６】
上記課題を解決するために、本発明は、帯状体を内部に巻取って収納することが可能であり、当該帯状体の一端側を外側に引っ張り出して自在の長さにすることが可能な筒状体で構成され、その内側に装着用の穴が形成された帯状体巻取部材と、前記帯状体の前記一端側に取り付けられたリング部材と、を備えることを特徴とする。
【０００７】
また、本発明において、前記帯状体の前記一端側に棒状体が設けられ、当該棒状体の上部には、球状体が設けられる一方で、当該棒状体の側部の上部側には、前記リング部材が設けられ、
前記帯状体巻取部材の側部のうち前記帯状体が引き出される側と反対側に、前記棒状体を係止することが可能な留め具が設けられていることを特徴とする。
【０００８】
また、本発明において、前記球状体が発光体であることを特徴とする。
【発明の効果】
【０００９】
本発明によれば、耐久性、安定性及び表示性に優れた、区画形成表示装置を提供することが可能となる。
【図面の簡単な説明】
【００１０】
【図１】区画形成表示装置の使用状況の一例を示す図である。
【図２】図１に示した区画形成表示装置の拡大図である。
【発明を実施するための最良の形態】
【００１１】
以下、本発明の実施形態について説明する。
【００１２】
＝＝＝区画形成表示装置１０の構成について＝＝＝
まず、区画形成表示装置１０の構成について説明する。  
図１は、本発明の実施形態に係る区画形成表示装置１０の使用状況の一例を示す図、図２は、図１に示した区画形成表示装置１０の拡大図である。
【００１３】
図１及び図２に示すように、区画形成表示装置１０は、カラーコーン１ａ，１ｂの間を区画して表示するための装置であり、帯状体巻取部材１１と、リング部材１３とを備えている。但し、カラーコーン１ａ，１ｂの代わりに、立設した棒やポールなどであってもよく、また、これらに限定されるものではない。
【００１４】
帯状体巻取部材１１は、帯状体１５を内部に巻取って収納することが可能であり、帯状体１５の一端側（図１及び図２の場合には左側）を外側に引っ張り出して自在の長さにすることが可能なストッパー付きの筒状体で構成されている。この筒状体の内側には、装着用の穴１１ａが形成されており、当該装着用の穴１１ａには、カラーコーン１ａ，１ｂの上部先端側が装着される。また、帯状体１５の一端には、棒状体１２が設けられ、当該棒状体１２の上部には、球状体１４が設けられる一方で、当該棒状体１２の側部の上部側には、リング部材１３が設けられている。さらに、帯状体巻取部材１１の側部のうち、帯状体１５が引き出される側と反対側（図１及び図２の場合には右側）には、棒状体１２を係止することが可能な留め具１６が設けられている。
【００１５】
なお、図１及び図２においては、リング部材１３は、折畳式の取付用ゴムリングで構成されている。球状体１４は、点滅式のＬＥＤライトなどの発光体で構成されている。さらに、帯状体１５は、幅１０ｃｍ程度の強化樹脂などの素材で構成され、当該帯状体１５には、黄黒模様が形成されており、その黄色部には、蛍光塗料が塗られている。留め具１６は、断面略Ｃ字状に構成されている。但し、これらのリング部材１３、球状体１４、帯状体１５、及び留め具１６の構成は、いずれも設計変更し得るものとする。
【００１６】
＝＝＝区画形成表示装置１０の使用状況の一例＝＝＝
＜カラーコーン１ａ,１ｂ間に区画を形成して表示する方法＞
以下、区画形成表示装置１０の使用状況の一例（図１参照）について説明する。
【００１７】
図１に示すように、区画形成表示装置１０を用いて、カラーコーン１ａ,１ｂ間に区画を形成して表示する際には、まず、装着用の穴１１ａにカラーコーン１ｂの上部先端をはめ込むようにして、図２に示した区画形成表示装置１０をカラーコーン１ｂに被せる。
【００１８】
次に、棒状体１２を引っ張って、帯状体１５の一端側を外側に引っ張り出し、当該帯状体１５の長さをカラーコーン１ａ,１ｂ間の距離と同じ長さに調節する。続いて、棒状体１２に設けられたリング部材１３をカラーコーン１ａの上部先端に被せる。
【００１９】
このようにして、カラーコーン１ａ,１ｂ間には、帯状体１５によって区画が形成されるとともに、当該区画が帯状体１５及び球状体１４によって表示されることとなる。とりわけ、球状体１４が発光体を兼ね備えている場合には、当該区画がより鮮明に表示され、視覚的に優れた効果を奏することとなる。
【００２０】
＜区画を伸長する方法＞
次に、区画を伸長する方法について説明する。  
図１に示すように、例えば、区画を右側へ伸長する場合には、まず、カラーコーン１ｂの右側に、別途、図示しないカラーコーンを設置する。その上で、別の区画形成表示装置１０（図１では右側の区画形成表示装置１０）を用いて、カラーコーン１ｂと、図示しないカラーコーンとの間を区画する。具体的には、別の区画形成表示装置１０のリング部材１３をカラーコーン１ｂの上部先端に被せるとともに、その上方から、当該リング部材１３に設けられた棒状体１２を留め具１６に差し込むようにして挿入する。この時、棒状体１２の上部には、球状体１４が設けられているので、この球状体１４の下部が留め具１６の上部によって係止められる。このようにして、複数の区画形成表示装置１０を用いることにより、簡易に区画を伸長することができる。
【００２１】
以上の通り、区画形成表示装置１０では、ヒモなどのような耐久性の柔い部材の代わりに、耐久性に優れた帯状体１５が用いられている。そのため、区画形成表示装置１０は、耐久性に優れたものとなる。また、区画形成表示装置１０では、帯状体１４を自在の長さに調節することが可能であるため、帯状体１５が引っ張られることはなく、カラーコーン１ａ，１ｂの安定性も確保される。さらに、区画形成表示装置１０では、チェーンなどのような見えにくい部材の代わりに、比較的見えやすい帯状体１５によって区画が形成されて表示される。そのため、区画形成表示装置１０は、表示性にも優れたものとなる。
【００２２】
さらに、区画形成表示装置１０を用いて、区画を形成して表示する場合には、帯状体１５の長さを自在に調節することが可能であるため、迅速且つ的確に区画を形成することができる。また、区画形成後に区画変更が生じた時においても、簡易、迅速に区画変更に対応することもできる。なお、帯状体１５に黄黒模様を付けた場合には、その黄黒模様により、形成された区画が危険区であると明確に表示することが可能となるため、通行人や作業者に対して危険区画であるとの意識付けを行うこともできる。さらに、球状体１５が電池式のＬＥＤライトの場合には、夜間の視覚性が格段に向上する。
【符号の説明】
【００２３】
１ａ，１ｂ  カラーコーン
１０  区画形成表示装置
１１  帯状体巻取部材
１１ａ  装着用の穴
１２  棒状体
１３  リング部材
１４  球状体
１５  帯状体
１６  留め具
【図１】
2010216126.tif 000003
【図２】
2010216126.tif 000004